(57)【要約】【課題】高い固体潤滑性能を有しつつ、案内面の耐摩耗性が高い転がり軸受用保持器及び転がり軸受を提供する。【解決手段】一対の軌道輪の間に配され、複数の転動体を所定位置に保持する転がり軸受用保持器である。転動体を収容する複数のポケット穴を有する円環状の本体と、本体をインサート部品として固体潤滑剤を含む樹脂で射出成形された樹脂部とを備える。樹脂部が、本体のポケット穴の内周面に設けられ、各転動体と摺接する複数のポケット面を形成する第１部分と、本体の内周面又は外周面に設けられ、一方の軌道輪と摺接する案内面を形成する第２部分とを有する。第２部分は、第１部分を構成する樹脂よりも比摩耗量が小さい樹脂にて構成した。【選択図】図１
2017180737.tif 000002
【特許請求の範囲】
【請求項１】
一対の軌道輪の間に配され、複数の転動体を所定位置に保持する転がり軸受用保持器であって、
前記転動体を収容する複数のポケット穴を有する円環状の本体と、固体潤滑剤を含む樹脂で成形された樹脂部とを備え、
前記樹脂部が、前記本体のポケット穴の内周面に設けられ、各転動体と摺接する複数のポケット面を形成する第１部分と、前記本体の内周面又は外周面に設けられ、一方の軌道輪と摺接する案内面を形成する第２部分とを有し、
前記第２部分は、前記第１部分を構成する樹脂よりも比摩耗量が小さい樹脂にて構成したことを特徴とする転がり軸受用保持器。
【請求項２】
前記第１部分は、主成分樹脂が熱可塑性樹脂で４５〜８０ｖｏｌ％、固体潤滑剤が２０〜４０ｖｏｌ％、強化材が０〜１５ｖｏｌ％の割合で配合されたことを特徴とする請求項１に記載の転がり軸受用保持器。
【請求項３】
前記第２部分は、強化材を１５ｖｏｌ％より多く配合されたことを特徴とする請求項１又は２に記載の転がり軸受用保持器。
【請求項４】
請求項１〜３の何れかに記載の転がり軸受用保持器と、一対の軌道輪と、複数の転動体とを備えた転がり軸受。
【請求項５】
ロケットエンジンターボポンプに使用されることを特徴とする請求項４に記載の転がり軸受。
【発明の詳細な説明】
【技術分野】
【０００１】
本発明は、転がり軸受用保持器（以下、単に「保持器」と言う。）及びこれを有する転がり軸受に関する。
【背景技術】
【０００２】
ロケットエンジンのターボポンプに用いられる転がり軸受は、液体推進剤中の高速回転環境下で使用される。特に、液体水素や液体酸素中で使用される場合は、極低温になるため、通常の転がり軸受で使用される油やグリース等の流動性潤滑剤が適用できない。そこで、固体潤滑性能が付加された保持器として、例えば、特許文献１に示すものが提案されている。
【０００３】
特許文献１には、母材表面に固体潤滑剤を射出成形した保持器が示されている。この保持器は、複数のポケット穴を有する円環状の本体と、本体をインサート部品として固体潤滑剤を含む樹脂で射出成形された樹脂部とを備えている。樹脂部は、本体のポケット穴の内周面に設けられてポケット面を形成するとともに、本体の外周面及び内周面のいずれかで、軌道輪（外輪又は内輪）と摺接する側に設けられて案内面を形成する。
【０００４】
前記保持器を備えた転がり軸受が回転すると、保持器のポケット面を構成する樹脂部と転動体とが摺接する。これにより、樹脂部の固体潤滑剤が転動体の表面に移着し、転動体と軌道輪の軌道面との間の潤滑が行われる。
【先行技術文献】
【特許文献】
【０００５】
【特許文献１】特開２０１４−２３４８４６号公報
【発明の概要】
【発明が解決しようとする課題】
【０００６】
前記のように、保持器に形成される樹脂部は、ポケット面において転動体による移着作用（潤滑剤供給作用）により軌道面との潤滑を確保している。このため、樹脂部は、移着性（潤滑剤供給性能）の高い樹脂を使用することが望ましい。
【０００７】
その一方、保持器の案内面は軌道輪の案内面と摺接するが、特許文献１に記載された保持器の案内面は、樹脂部にて形成されているため摩耗しやすい。樹脂部の摩耗が進展し、母材が露出し摩耗すると、摩耗粉が異物となって軸受機能に悪影響を及ぼすおそれがある。このため、保持器の案内面は、高い耐摩耗性が必要となり、ポケット面とは相反する性能が要求される。特に、特許文献１の保持器のようにインサート成形する場合は、ポケット面と案内面とで同一の樹脂部が形成されるため、ポケット面の移着性と案内面の耐摩耗性とを同時に高めることが困難となる。
【０００８】
本発明が解決すべき課題は、高い固体潤滑性能を有しつつ、案内面の耐摩耗性が高い転がり軸受用保持器及びこれを備えた転がり軸受を提供することにある。
【課題を解決するための手段】
【０００９】
本発明の転がり軸受用保持器は、一対の軌道輪の間に配され、複数の転動体を所定位置に保持する転がり軸受用保持器であって、前記転動体を収容する複数のポケット穴を有する円環状の本体と、前記本体をインサート部品として固体潤滑剤を含む樹脂で射出成形された樹脂部とを備え、前記樹脂部が、前記本体のポケット穴の内周面に設けられ、各転動体と摺接する複数のポケット面を形成する第１部分と、前記本体の内周面又は外周面に設けられ、一方の軌道輪と摺接する案内面を形成する第２部分とを有し、前記第２部分は、前記第１部分を構成する樹脂よりも比摩耗量が小さい樹脂にて構成したものである。
【００１０】
本発明の転がり軸受用保持器は、転動体と摺接するポケット面が、固体潤滑剤を含む樹脂（第１部分）で形成され、軌道輪と摺接する案内面が、樹脂（第２部分）で形成されるため、樹脂に含まれる固体潤滑剤を転動体に移着することで潤滑を行うことができる。この場合、案内面を形成する第２部分は、第１部分を構成する樹脂よりも比摩耗量が小さい樹脂にて構成しているため、第２部分は第１部分よりも耐摩耗性が優れる。すなわち、固体潤滑剤により固体潤滑性能（潤滑性）を確保しつつ、案内面は、ポケット面よりも耐摩耗性が優れたものとなって、保持器の本体の摩耗を抑制することができる。
【００１１】
前記構成において、前記第１部分は、主成分樹脂が熱可塑性樹脂で４５〜８０ｖｏｌ％、固体潤滑剤が２０〜４０ｖｏｌ％、強化材が０〜１５ｖｏｌ％の割合で配合してもよい。これにより、ポケット面は、移着性が高く、固体潤滑性能が優れたものとなる。また、前記第２部分は、強化材を１５ｖｏｌ％より多く配合してもよい。これにより、案内面は、耐摩耗性に優れたものとなる。
【００１２】
本発明の転がり軸受は、前記本発明の転がり軸受用保持器と、一対の軌道輪と、複数の転動体とを備えたものである。この転がり軸受は、極低温環境による高い固体潤滑性能、高速運転による高強度性能、及び高い信頼性が要求されるロケットエンジンターボポンプに使用される場合に特に有効なものとなる。
【発明の効果】
【００１３】
以上のように、本発明の転がり軸受用保持器及びこれを備えた転がり軸受は、高い固体潤滑性能を有しつつ、案内面の耐摩耗性を高めることができる。
【図面の簡単な説明】
【００１４】
【図１】本発明の実施形態を示す転がり軸受の断面図である。
【図２】前記図１の転がり軸受を構成する保持器の斜視図である。
【図３】前記図１の転がり軸受を構成する保持器であり、（ａ）は正面図、（ｂ）は（ａ）のＢ‐Ｂ断面図、（ｃ）は（ｂ）のＣ部拡大図である。
【図４】本発明の保持器の射出成形時を示し、（ａ）は斜視図、（ｂ）は断面図である。
【図５】本発明の転がり軸受が組み込まれたロケットエンジン用ターボポンプの断面図である。
【発明を実施するための形態】
【００１５】
図１に、本発明の一実施形態に係る転がり軸受として、アンギュラ玉軸受を示す。アンギュラ玉軸受は、一対の軌道輪（内輪１及び外輪２）と、複数の転動体（ボール３）と、保持器４とを備える。アンギュラ玉軸受は、無潤滑環境、すなわち、油やグリース等の流動性潤滑剤を使用しない環境で用いられる。アンギュラ玉軸受は、図示するように接触角を有する。接触角とは、軸受中心軸に垂直な平面（ラジアル平面）と、軌道輪によって転動体へ伝えられる力の合力の作用線（図１に一点鎖線で示す）とがなす角度と定義されている。本実施形態のアンギュラ玉軸受は、保持器４の外周面と外輪２の内周面とを摺接させて保持器４を半径方向で案内する、いわゆる外輪案内の軸受である。
【００１６】
内輪１の外周面には、軌道面５が設けられる。外輪２の内周面には、軌道面６が設けられる。内輪１及び外輪２は金属で形成され、例えばマルテンサイト系ステンレス鋼（ＳＵＳ４４０Ｃなど）で形成される。複数のボール３は、内輪１の軌道面５と外輪２の軌道面６との間に配される。ボール３は、例えばマルテンサイト系ステンレス鋼（ＳＵＳ４４０Ｃなど）等の金属や、セラミックス材料で形成される。尚、内輪１の軌道面５、外輪２の軌道面６、及びボール３の表面には、初期摩擦の低減を目的としたＰＴＦＥスパッタリング被膜を施してもよい。
【００１７】
保持器４は、外輪２と内輪１との間に配され、図２及び図３に示すように、本体７と樹脂部８とから構成される。本体７は、図２に示すように環状を成し、図示例では円筒状を成している。本体７には、複数のポケット穴９が円周方向等間隔に設けられ、各ポケット穴９にボール３が１つずつ収容される。本体７は、樹脂部８よりも高強度の材料で形成され、例えば樹脂複合材や金属で形成される。樹脂複合材としては、ＣＦＲＰやＧＦＲＰ等の繊維強化プラスチック材を使用できる。また、金属としては、例えばアルミニウム合金、マグネシウム合金、炭素鋼、ステンレス鋼、銅合金等の溶製材や、焼結金属を使用できる。特に、高速回転環境下で使用される軸受の場合、比強度の高い材料を使用することが好ましい。このような材料として、例えばＣＦＲＰ、ＧＦＲＰ、アルミニウム合金、チタン合金、マグネシウム合金が挙げられる。また、液体水素ターボポンプ用に使用される軸受の場合、水素反応性の低い材料を使用することが好ましい。このような材料として、例えばＣＦＲＰ、ＧＦＲＰ、アルミニウム合金が挙げられる。さらに、液体酸素ターボポンプに使用される軸受の場合、酸化反応性の低い材料を使用することが好ましい。このような材料として、例えばＧＦＲＰが挙げられる。
【００１８】
樹脂部８は、本体７をインサート部品とした射出成形で形成され、図３（ｂ）（ｃ）に示すように、第１部分８ａと第２部分８ｂとを有する。第１部分８ａは、本体７の各ポケット穴９の内周面に設けられ、図示例では第１部分８ａがポケット穴９の円筒面状内周面の全面を覆っている。各ポケット穴９に設けられた第１部分８ａの表面（内周面）は、各転動体３と摺接するポケット面１０として機能する。第２部分８ｂは、図３（ａ）に示すように、本体７の外周面に設けられ、図示例では第２部分８ｂが本体７の円筒面状外周面のほぼ全面を覆っている。第２部分８ｂの表面（外周面）は、外輪２の内周面と摺接する案内面１１として機能する。第１部分８ａの厚さ及び第２部分８ｂの厚さは均一になっており、射出成形時の流動性を考慮すると０．１ｍｍ以上が好ましく、さらに、摩耗に対する信頼性を考慮すると０．２ｍｍ以上がより好ましい。第１部分８ａと第２部分８ｂとは、これらの境界部（つまり、本体７の外周面のポケット穴９との縁部）において縁切りされており、僅かに本体７が露出している。
【００１９】
第１部分８ａ及び第２部分８ｂは、固体潤滑剤を含む樹脂で形成される。主成分樹脂としては、例えばポリエーテルエーテルケトン（ＰＥＥＫ）、ポリフェニレンサルファイド（ＰＰＳ）、ポリアミド（ＰＡ）等の熱可塑性樹脂が使用できる。特に、極低温環境下で使用される場合、耐衝撃性、耐薬品性、本体７との密着性の観点から、線膨張係数が小さいＰＥＥＫを使用することが望ましい。固体潤滑剤としては、フッ素樹脂（例えばＰＴＦＥ、ＥＴＦＥ、ＰＦＡ）、二硫化モリブデン、黒鉛などが使用できる。
【００２０】
上記の樹脂において、第１部分８ａは、主成分樹脂（熱可塑性樹脂）が、射出成形可能な４５〜８０ｖｏｌ％以上とすることが好ましい。また、固体潤滑剤は、潤滑性を考慮すると５ｖｏｌ％以上配合する必要があり、特に、液体窒素や液体酸素中等の極低温環境下で使用する場合は、固体潤滑剤を２０ｖｏｌ％以上とすることが好ましい。また、固体潤滑剤が４０ｖｏｌ％を超えると、主成分樹脂との混練時に混ざりにくくなり、射出成形時の分散性が低下する。以上より、固体潤滑剤の配合割合は２０〜４０ｖｏｌ％とすることが好ましい。このような構成とすることにより、第１部分８ａは、潤滑性と移着性とが優れたものとなる。
【００２１】
第１部分８ａを形成する樹脂には、強化材を配合してもよい。強化材としては、保持器の耐摩耗性を高め、線膨張係数を抑える効果のあるものを使用することが望ましく、例えばガラス繊維（ＧＦ）、炭素繊維（ＣＦ）、酸化マグネシウム等が使用できる。この中でも、ＧＦはドライ潤滑で使用できる強化材であり、一時的（特に運転初期）にドライ状態が発生する環境下では、不燃性のＧＦが適している。なお、第１部分８ａでは強化材は省略することもできる。
【００２２】
第２部分８ｂは、第１部分８ａを構成する樹脂よりも比摩耗量が小さい樹脂にて構成している。比摩耗量とは、例えばＪＩＳＫ７２１８「プラスチックの滑り摩耗試験方法」に規定される試験方法及び試験条件により摩耗体積と摩擦距離とを測定し、摩耗体積を、試験荷重と摩擦距離との積で除した値である。比摩耗量の値が小さいほど耐摩耗性に優れることを意味する。第２部分８ｂを構成する樹脂が、第１部分８ａを構成する樹脂よりも比摩耗量の小さいものとするためには、第２部分８ｂの樹脂組成を、第１部分８ａの樹脂組成と相違させる。ここで「樹脂組成が相違する」とは、樹脂を構成する成分が相違する場合と、樹脂を構成する成分は同一であるが、成分量の割合が相違する場合との両方を含む。後述するように、第１部分８ａと第２部分８ｂとを同時成形する場合は、第１部分８ａと第２部分２ｂとで成形条件（温度等）が共通のものとなるため、樹脂を構成する成分を同一として、成分量の割合を相違させるのが好ましい。
【００２３】
このため、本実施形態では、第２部分８ｂは、第１部分８ａと樹脂を構成する成分が同一であり、成分量の割合が相違するものとしている。具体的には、第２部分８ｂを構成する樹脂には、強化材を１５ｖｏｌ％より多く配合するのに対し、第１部分８ａを構成する樹脂には、強化材を０〜１５ｖｏｌ％の割合で配合する。これにより、第２部分８ｂは第１部分８ａよりも耐摩耗性が優れる。
【００２４】
上記のアンギュラ玉軸受が回転すると、保持器４のポケット面１０とボール３とが摺接する。これにより、樹脂部８の固体潤滑剤がボール３の表面に移着し、ボール３に移着した固体潤滑剤により、ボール３と内輪１の軌道面５及び外輪２の軌道面６との間の潤滑が行われる。
【００２５】
上記のように、本実施形態では、第１部分８ａを構成する樹脂と第２部分８ｂを構成する樹脂とは組成が異なり、しかも、第２部分８ｂは、第１部分８ａを構成する樹脂よりも比摩耗量が小さい樹脂にて構成しているため、ポケット面１０において高い固体潤滑性能（潤滑性及び移着性）を確保しつつ、案内面１１は、耐摩耗性が優れたものとなって、保持器本体７の摩耗を抑制することができる。
【００２６】
次に、上記の保持器４の製造方法について説明する。
【００２７】
まず、本体７を形成する。例えば、炭素繊維やガラス繊維等の強化繊維を含む樹脂からなる樹脂複合材で、本体７が形成される。あるいは、金属を機械加工（切削等）又は塑性加工（プレス加工や鍛造加工）することにより、金属（溶製材）からなる本体７が形成される。あるいは、混合金属粉末を圧縮成形してなる圧粉体を所定の焼結温度で焼結することで、焼結金属からなる本体７が形成される。
【００２８】
その後、本体７と樹脂部８との密着性を向上させる目的で、本体７の表面に微小な凹部が形成される。この微小凹部は、エッチング処理（ナトリウムエッチング、プラズマエッチング等）、ショットブラスト、溶射などの粗面化処理により形成される。粗面化処理後の本体７の表面粗さは、本体７と樹脂部８との線膨張係数差による保持器半径方向での寸法変化量よりも大きくすることが好ましい。尚、粗面化処理は省略してもよく、例えば本体７が焼結金属からなる場合は、本体７の表面に無数の微細な開孔が形成されるため、粗面化処理は不要である。
【００２９】
その後、図４（ａ）に示すように、本体７をインサート部品として樹脂部８を射出成形する。図４（ｂ）に示すように、キャビティ２６は、樹脂部８の第１部分８ａを成形する第１キャビティ２７と、樹脂部８の第２部分８ｂを成形する第２キャビティ２８とからなる。第１キャビティ２７内に樹脂材料を充填する第１ゲート３１は、周方向に沿って所定間隔で複数設けられる多点ピンゲートである。第２キャビティ２８内に樹脂材料を充填する第２ゲート３２は、周方向に沿って所定間隔で複数設けられる多点ピンゲートである。なお、図４（ｂ）は、キャビティ２７、２８、及びゲート３１、３２に樹脂（散点で示す）が満たされた状態を示す。
【００３０】
第１ゲート３１から第１キャビティ２７に、第１部分８ａを形成する樹脂を射出するとともに、第２ゲート３２から第２キャビティ２８に、第２部分８ｂを形成する樹脂を射出する。このように、第１部分８ａと第２部分８ｂとを同時成形すると、製造リードタイムの短縮化を図ることができる。また、溶融樹脂が本体７の表面の微小凹部に入り込んで固化することで、本体７と樹脂部８とが強固に固着される。樹脂が硬化したら、型開きして保持器４を金型から取り出す。
【００３１】
上記の各実施形態では、保持器を外輪の内周面と摺接させて案内する外輪案内の転がり軸受を示したが、これに限らず、保持器を内輪の外周面と摺接させて案内する内輪案内の転がり軸受に本発明を適用してもよい。この場合、第２部分は、保持器の本体の内周面に設けられ、この第２部分の内周面が案内面として機能する（図示省略）。
【００３２】
図５に、上記のアンギュラ玉軸受を組み込んだロケットエンジン用ターボポンプを示す。このターボポンプは液体水素／液体酸素２段燃焼式ロケットエンジンのうち、液体酸素ガスを圧縮するものである。尚、図示は省略するが、この２段燃焼式ロケットエンジンには、液体水素ガスを圧縮する同様のターボポンプも備えている。ターボポンプのタービン軸７１は、プリバーナポンプ入口からプリバーナポンプ出口へと流れる液体燃料の燃焼ガスで初期駆動された後、タービンガス入口からタービンガス出口へと流れる液体燃料の燃焼ガスで本格駆動される。そして、主ポンプ入口から流入した液体酸素ガスを圧縮して主ポンプ出口から排出し、燃焼室に供給する。タービン軸７１は、極低温における疲労強度の高いニッケル基の超合金、例えばインコネル材で形成される。タービン軸７１は、アンギュラ玉軸受を２つ組み合わせてなる複列アンギュラ玉軸受７２で支持される。複列アンギュラ玉軸受７２を構成する一対のアンギュラ玉軸受は、接触角が軸直交平面に関して対称となっている。
【００３３】
上記のアンギュラ玉軸受は、ロケットエンジン用ターボポンプだけでなく、他の用途に適用することも可能である。例えば、人工衛星などの宇宙用機器のように、真空環境下で使用される機器に組み込むことができる。また、上記のアンギュラ玉軸受は、極低温環境下で使用する用途に限らず、例えば常温以上の環境下で使用することもできる。
【００３４】
また、上記の各実施形態では、本発明に係る固体潤滑転がり軸受としてアンギュラ玉軸受を説明したが、これに限らず、本発明は、他の種類の玉軸受や、円筒ころ軸受や円すいころ軸受などのころ軸受に適用することも可能である。
【符号の説明】
【００３５】
１   内輪
２   外輪
３   ボール
４   保持器
７   本体
８   樹脂部
８ａ   第１部分
８ｂ   第２部分
９   ポケット穴
１１   案内面
【図１】
2017180737.tif 000003
【図２】
2017180737.tif 000004
【図３】
2017180737.tif 000005
【図４】
2017180737.tif 000006
【図５】
2017180737.tif 000007